【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
捕食性カブリダニ個体群と、
第１の宿主ダニ個体群と前記第１の宿主ダニと異なる第２の宿主ダニ個体群とを含む、前記捕食性カブリダニ個体群の個体用の食物源と、
前記宿主ダニ用の食物源を含む担体と
を含み、
前記第１の宿主ダニとして０．２８未満の内的増加率（ｒｍ）を有するダニ種が選択され、かつ、前記第２の宿主ダニが、前記第１の宿主ダニの内的増加率（ｒｍ）よりも高い内的増加率（ｒｍ）を有することを特徴とする、
捕食性カブリダニ放出システム。
【請求項２】
前記捕食性カブリダニが、
ムチカブリダニ（Ａｍｂｌｙｓｅｉｉｎａｅ）亜科、例えば、Ａｍｂｌｙｓｅｉｕｓ属からのもの、例えば、Ａｍｂｌｙｓｅｉｕｓ  ａｎｄｅｒｓｏｎｉ、Ａｍｂｌｙｓｉｅｕｓ  ａｅｒｉａｌｉｓ、スワルスキーカブリダニ（Ａｍｂｌｙｓｅｉｕｓ  ｓｗｉｒｓｋｉｉ）またはラーゴカブリダニ（Ａｍｂｌｙｓｅｉｕｓ  ｌａｒｇｏｅｎｓｉｓ）など、Ｅｕｓｅｉｕｓ属から、例えば、イチレツカブリダニ（Ｅｕｓｅｉｕｓ  ｆｉｎｌａｎｄｉｃｕｓ）、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏまたはＥｕｓｅｉｕｓ  ｃｉｔｒｉなど、ウスカブリダニ（Ｎｅｏｓｅｉｕｌｕｓ）属から、例えば、ヘヤカブリダニ（Ｎｅｏｓｅｉｕｌｕｓ  ｂａｒｋｅｒｉ）、ミヤコカブリダニ（Ｎｅｏｓｅｉｕｌｕｓ  ｃａｌｉｆｏｒｎｉｃｕｓ）、ククメリスカブリダニ（Ｎｅｏｓｅｉｕｌｕｓ  ｃｕｃｕｍｅｒｉｓ）、Ｎｅｏｓｅｉｕｌｕｓ  ｌｏｎｇｉｓｐｉｎｏｓｕｓ、ケナガカブリダニ（Ｎｅｏｓｅｉｕｌｕｓ  ｗｏｍｅｒｓｌｅｙｉ）、Ｎｅｏｓｅｉｕｌｕｓ  ｉｄａｅｕｓ、Ｎｅｏｓｅｉｕｌｕｓ  ａｎｏｎｙｍｕｓまたはファラシスカブリダニ（Ｎｅｏｓｅｉｕｌｕｓ  ｆａｌｌａｃｉｓ）など、Ｔｙｐｈｌｏｄｒｏｍａｌｕｓ属から、例えば、Ｔｙｐｈｌｏｄｒｏｍａｌｕｓ  ｌｉｍｏｎｉｃｕｓ、Ｔｙｐｈｌｏｄｒｏｍａｌｕｓ  ａｒｉｐｏまたはＴｙｐｈｌｏｄｒｏｍａｌｕｓ  ｐｅｒｅｇｒｉｎｕｓなど、Ｔｙｐｈｌｏｄｒｏｍｉｐｓ属から、例えば、Ｔｙｐｈｌｏｄｒｏｍｉｐｓ  ｍｏｎｔｄｏｒｅｎｓｉｓなど、
Ｔｙｐｈｌｏｄｒｏｍｉｎａｅ亜科、例えば、Ｇａｌｅｎｄｒｏｍｕｓ属からのもの、例えば、Ｇａｌｅｎｄｒｏｍｕｓ  ｏｃｃｉｄｅｎｔａｌｉｓ、Ｔｙｐｈｌｏｄｒｏｍｕｓ属から、例えば、パイアイカブリダニ（Ｔｙｐｈｌｏｄｒｏｍｕｓ  ｐｙｒｉ）、Ｔｙｐｈｌｏｄｒｏｍｕｓ  ｄｏｒｅｅｎａｅまたはＴｙｐｈｌｏｄｒｏｍｕｓ  ａｔｈｉａｓａｅ
から選択される、請求項１に記載の捕食性カブリダニ放出システム。
【請求項３】
前記捕食性カブリダニが、スワルスキーカブリダニ、Ａｍｂｌｙｓｉｅｕｓ  ａｅｒｉａｌｉｓ、Ａｍｂｌｙｓｅｉｕｓ  ａｎｄｅｒｓｏｎｉ、ヘヤカブリダニ、ミヤコカブリダニ、ククメリスカブリダニ、ファラシスカブリダニまたはＴｙｐｈｌｏｄｒｏｍｉｐｓ  ｍｏｎｔｄｏｒｅｎｓｉｓから選択され、好ましくは、スワルスキーカブリダニとして選択される、請求項１〜２のいずれか１項に記載の捕食性カブリダニ放出システム。
【請求項４】
前記第１の宿主ダニが、サヤアシニクダニ（Ｌｅｐｉｄｏｇｌｙｐｈｕｓ  ｄｅｓｔｒｕｃｔｏｒ）またはＴｈｙｒｅｏｐｈａｇｕｓ  ｅｎｔｏｍｏｐｈａｇｕｓから選択され、好ましくは、サヤアシニクダニから選択される、請求項１〜３のいずれか１項に記載の捕食性カブリダニ放出システム。
【請求項５】
捕食性カブリダニ個体群と、
前記捕食性カブリダニ個体群の個体用の食物源と、
前記宿主ダニ用の食物源を含む担体と
を含む、捕食性カブリダニ放出システムを製造するための、０．２８未満の内的増加率（ｒｍ）を有する第１の宿主ダニと、前記第１の宿主ダニと異なる第２の宿主ダニ個体群との使用であって、前記第２の宿主ダニが、前記第１の宿主ダニよりも高い内的増加率（ｒｍ）を有する、使用。
【請求項６】
前記捕食性カブリダニが、
ムチカブリダニ亜科、例えば、Ａｍｂｌｙｓｅｉｕｓ属からのもの、例えば、Ａｍｂｌｙｓｅｉｕｓ  ａｎｄｅｒｓｏｎｉ、Ａｍｂｌｙｓｉｅｕｓ  ａｅｒｉａｌｉｓ、スワルスキーカブリダニまたはラーゴカブリダニなど、Ｅｕｓｅｉｕｓ属から、例えば、イチレツカブリダニ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏまたはＥｕｓｅｉｕｓ  ｃｉｔｒｉなど、ウスカブリダニ属から、例えば、ヘヤカブリダニ、ミヤコカブリダニ、ククメリスカブリダニ、Ｎｅｏｓｅｉｕｌｕｓ  ｌｏｎｇｉｓｐｉｎｏｓｕｓ、ケナガカブリダニ、Ｎｅｏｓｅｉｕｌｕｓ  ｉｄａｅｕｓ、Ｎｅｏｓｅｉｕｌｕｓ  ａｎｏｎｙｍｕｓまたはファラシスカブリダニなど、Ｔｙｐｈｌｏｄｒｏｍａｌｕｓ属から、例えば、Ｔｙｐｈｌｏｄｒｏｍａｌｕｓ  ｌｉｍｏｎｉｃｕｓ、Ｔｙｐｈｌｏｄｒｏｍａｌｕｓ  ａｒｉｐｏまたはＴｙｐｈｌｏｄｒｏｍａｌｕｓ  ｐｅｒｅｇｒｉｎｕｓなど、Ｔｙｐｈｌｏｄｒｏｍｉｐｓ属から、例えば、Ｔｙｐｈｌｏｄｒｏｍｉｐｓ  ｍｏｎｔｄｏｒｅｎｓｉｓなど、
Ｔｙｐｈｌｏｄｒｏｍｉｎａｅ亜科、例えば、Ｇａｌｅｎｄｒｏｍｕｓ属からのもの、例えば、Ｇａｌｅｎｄｒｏｍｕｓ  ｏｃｃｉｄｅｎｔａｌｉｓ、Ｔｙｐｈｌｏｄｒｏｍｕｓ属から、例えば、パイアイカブリダニ、Ｔｙｐｈｌｏｄｒｏｍｕｓ  ｄｏｒｅｅｎａｅまたはＴｙｐｈｌｏｄｒｏｍｕｓ  ａｔｈｉａｓａｅ
から選択される、請求項５に記載の使用。
【請求項７】
前記捕食性カブリダニが、スワルスキーカブリダニ、Ａｍｂｌｙｓｉｅｕｓ  ａｅｒｉａｌｉｓ、Ａｍｂｌｙｓｅｉｕｓ  ａｎｄｅｒｓｏｎｉ、ヘヤカブリダニ、ミヤコカブリダニ、ククメリスカブリダニ、ファラシスカブリダニまたはＴｙｐｈｌｏｄｒｏｍｉｐｓ  ｍｏｎｔｄｏｒｅｎｓｉｓから選択され、好ましくは、スワルスキーカブリダニとして選択される、請求項５または６に記載の使用。
【請求項８】
０．２８未満の内的増加率（ｒｍ）を有する前記宿主ダニが、サヤアシニクダニまたはＴｈｙｒｅｏｐｈａｇｕｓ  ｅｎｔｏｍｏｐｈａｇｕｓから選択され、好ましくは、サヤアシニクダニから選択される、請求項５〜７のいずれか１項に記載の使用。
【請求項９】
捕食性カブリダニ放出システムの作製方法であって、
（Ａ）捕食性カブリダニを選択するステップと、
（Ｂ）前記捕食性カブリダニを、
前記捕食性カブリダニ個体群と、
第１の飼育宿主ダニ個体群と、
前記飼育宿主ダニ用の食物源と
を含む飼育組成物中で飼育するステップと、
（Ｃ）前記飼育組成物に前記第１の宿主ダニと異なる第２の飼育宿主ダニ個体群を追加するステップと、
（Ｄ）前記捕食性カブリダニを保持するのに好適な、前記捕食性カブリダニの移動生活期のための出口を有する容器を用意するステップと、
（Ｅ）前記飼育組成物を、前記容器内にパッキングするステップと
を含み、
前記第１の飼育宿主または第２の飼育宿主として、０．２８未満の内的増加率（ｒｍ）を有する宿主ダニが選択され、他方の宿主ダニとして、０．２８未満の内的増加率（ｒｍ）を有する前記宿主ダニよりも高い内的増加率（ｒｍ）を有する宿主ダニが選択されることを特徴とする、方法。
【請求項１０】
前記捕食性カブリダニが、
ムチカブリダニ亜科、例えば、Ａｍｂｌｙｓｅｉｕｓ属からのもの、例えば、Ａｍｂｌｙｓｅｉｕｓ  ａｎｄｅｒｓｏｎｉ、Ａｍｂｌｙｓｉｅｕｓ  ａｅｒｉａｌｉｓ、スワルスキーカブリダニまたはラーゴカブリダニなど、Ｅｕｓｅｉｕｓ属から、例えば、イチレツカブリダニ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏまたはＥｕｓｅｉｕｓ  ｃｉｔｒｉなど、ウスカブリダニ属から、例えば、ヘヤカブリダニ、ミヤコカブリダニ、ククメリスカブリダニ、Ｎｅｏｓｅｉｕｌｕｓ  ｌｏｎｇｉｓｐｉｎｏｓｕｓ、ケナガカブリダニ、Ｎｅｏｓｅｉｕｌｕｓ  ｉｄａｅｕｓ、Ｎｅｏｓｅｉｕｌｕｓ  ａｎｏｎｙｍｕｓまたはファラシスカブリダニなど、Ｔｙｐｈｌｏｄｒｏｍａｌｕｓ属から、例えば、Ｔｙｐｈｌｏｄｒｏｍａｌｕｓ  ｌｉｍｏｎｉｃｕｓ、Ｔｙｐｈｌｏｄｒｏｍａｌｕｓ  ａｒｉｐｏまたはＴｙｐｈｌｏｄｒｏｍａｌｕｓ  ｐｅｒｅｇｒｉｎｕｓなど、Ｔｙｐｈｌｏｄｒｏｍｉｐｓ属から、例えば、Ｔｙｐｈｌｏｄｒｏｍｉｐｓ  ｍｏｎｔｄｏｒｅｎｓｉｓなど、
Ｔｙｐｈｌｏｄｒｏｍｉｎａｅ亜科、例えば、Ｇａｌｅｎｄｒｏｍｕｓ属からのもの、例えば、Ｇａｌｅｎｄｒｏｍｕｓ  ｏｃｃｉｄｅｎｔａｌｉｓ、Ｔｙｐｈｌｏｄｒｏｍｕｓ属から、例えば、パイアイカブリダニ、Ｔｙｐｈｌｏｄｒｏｍｕｓ  ｄｏｒｅｅｎａｅまたはＴｙｐｈｌｏｄｒｏｍｕｓ  ａｔｈｉａｓａｅ
から選択される、請求項９に記載の方法。
【請求項１１】
前記捕食性カブリダニが、スワルスキーカブリダニ、Ａｍｂｌｙｓｉｅｕｓ  ａｅｒｉａｌｉｓ、Ａｍｂｌｙｓｅｉｕｓ  ａｎｄｅｒｓｏｎｉ、ヘヤカブリダニ、ミヤコカブリダニ、ククメリスカブリダニ、ファラシスカブリダニまたはＴｙｐｈｌｏｄｒｏｍｉｐｓ  ｍｏｎｔｄｏｒｅｎｓｉｓから選択され、好ましくは、スワルスキーカブリダニとして選択される、請求項９または１０に記載の方法。
【請求項１２】
０．２８未満の内的増加率（ｒｍ）を有する前記宿主ダニが、サヤアシニクダニまたはＴｈｙｒｅｏｐｈａｇｕｓ  ｅｎｔｏｍｏｐｈａｇｕｓから選択され、好ましくは、サヤアシニクダニから選択される、請求項９〜１１のいずれか１項に記載の方法。
【請求項１３】
作物保護における、請求項１〜４のいずれか１項に記載の捕食性カブリダニ放出システム、請求項５〜８のいずれか１項に記載の使用によって作製された捕食性カブリダニ放出システムまたは請求項９〜１２のいずれか１項に記載の方法で作製された捕食性カブリダニ放出システムの使用。
【請求項１４】
前記作物保護が、コナジラミ、例えば、オンシツコナジラミ（Ｔｒｉａｌｅｕｒｏｄｅｓ  ｖａｐｏｒａｒｉｏｒｕｍ）またはタバココナジラミ（Ｂｅｍｉｓｉａ  ｔａｂａｃｉ）など；アザミウマ、例えば、ネギアザミウマ（Ｔｈｒｉｐｓ  ｔａｂａｃｉ）またはＦｒａｎｋｌｉｎｉｅｌｌａ属種など、例えば、ミカンキイロアザミウマ（Ｆｒａｎｋｌｉｎｉｅｌｌａ  ｏｃｃｉｄｅｎｔａｌｉｓ）など；クモダニ、例えば、Ｔｅｔｒａｎｙｃｈｕｓ属種、例えば、ナミハダニ（Ｔｅｔｒａｎｙｃｈｕｓ  ｕｒｔｉｃａｅ）、Ｔｅｒａｎｙｃｈｕｓ  ｅｖａｎｓｉおよびカンザワハダニ（Ｔｅｒａｎｙｃｈｕｓ  ｋａｎｚａｗａｉ）など、またはＰａｎｏｎｙｃｈｕｓ属種、例えば、リンゴハダニ（Ｐａｎｏｎｙｃｈｕｓ  ｕｌｍｉ）など；ホコリダニ、例えば、チャノホコリダニ（Ｐｏｌｙｐｈａｇｏｔａｒｓｏｎｅｍｕｓ  ｌａｔｕｓ）またはシクラメンホコリダニ（Ｔａｒｓｏｎｅｍｕｓ  ｐａｌｌｉｄｕｓ）など；フシダニ、例えば、トマトサビダニ（Ａｃｕｌｏｐｓ  ｌｙｃｏｐｅｒｓｉｃｉ）など；イボタムシ、例えば、ミカンハダニ（Ｐａｎｏｎｙｃｈｕｓ  ｃｉｔｒｉ）などから；スケールクローラー（ｓｃａｌｅ  ｃｒａｗｌｅｒ）、例えば、アカマルカイガラムシ（Ａｏｎｉｄｉｅｌｌａ  ａｕｒａｎｔｉｉ）などから選択される作物害虫からの保護である、請求項１３に記載の使用。
【請求項１５】
前記作物が、（温室）野菜作物、例えば、トマト（Ｌｙｃｏｐｅｒｓｉｃｏｎ  ｅｓｃｕｌｅｎｔｕｍ）、トウガラシ（Ｃａｐｓｉｃｕｍ  ａｎｎｕｕｍ）、ナス（Ｓｏｌａｎｕｍ  ｍｅｌｏｇｅｎａ）、ウリ科植物（Ｃｕｃｕｒｂｉｔａｃｅａｅ）、例えば、キュウリ（Ｃｕｃｕｍｉｓ  ｓａｔｉｖａ）、メロン（Ｃｕｃｕｍｉｓ  ｍｅｌｏ）、スイカ（Ｃｉｔｒｕｌｌｕｓ  ｌａｎａｔｕｓ）など；軟果実（ｓｏｆｔ  ｆｒｕｉｔ）（例えば、イチゴ（Ｆｒａｇａｒｉａ  ｘ  ａｎａｎａｓｓａ）、ラズベリー（Ｒｕｂｕｓ  ｉｄｅａｕｓ）など）、（温室）観賞用作物（例えば、バラ、ガーベラ、キクなど）、木の作物、例えば、Ｃｉｔｒｕｓ属種、アーモンド、バナナのものなど、または露地作物、例えば、綿またはトウモロコシなどから選択される、請求項１３または１４に記載の使用。